(57)【要約】【課題】視軸の水平面内の回転のみを容易かつ高精度に調整することができる。【解決手段】立体画像用眼鏡１００は、左眼球プリズム１１０と、左眼球プリズムの中心を通る軸である左中心軸１１４に自体の中心が位置するように配された左対物プリズム１１２と、右眼側に配された右眼球プリズム１２０と、右眼球プリズムの中心を通る軸である右中心軸に自体の中心が位置するように配された右対物プリズム１２２と、外力に応じて、左中心軸を回転軸として左眼球プリズムを回転させるとともに、左眼球プリズムと同回転角度で逆方向に左対物プリズムを回転させ、さらに、左眼球プリズムと同回転角度で同方向、または、同回転角度で逆方向に、右中心軸を回転軸として右眼球プリズムを回転させるとともに、右眼球プリズムと同回転角度で逆方向に右対物プリズムを回転させる回転機構２００を備える。【選択図】図１
2012032616.tif 000002
【特許請求の範囲】
【請求項１】
立体画像を知覚させるための立体画像用眼鏡であって、
ユーザが前記立体画像用眼鏡を装着したときに、前記ユーザの左眼側に位置するように配された左眼球プリズムと、
前記左眼球プリズムよりも、前記立体画像用眼鏡によって視認する視認対象側であって、前記左眼球プリズムの中心を通る軸である左中心軸に自体の中心が位置するように配された左対物プリズムと、
前記ユーザの右眼側に位置するように配された右眼球プリズムと、
前記右眼球プリズムよりも、前記視認対象側であって、前記右眼球プリズムの中心を通る軸である右中心軸に自体の中心が位置するように配された右対物プリズムと、
外力に応じて、前記左中心軸を回転軸として前記左眼球プリズムを回転させるとともに、前記左眼球プリズムと同回転角度で逆方向に前記左対物プリズムを回転させ、さらに、前記左眼球プリズムと同回転角度で同方向、または、同回転角度で逆方向に、前記右中心軸を回転軸として前記右眼球プリズムを回転させるとともに、前記右眼球プリズムと同回転角度で逆方向に前記右対物プリズムを回転させる回転機構と、
を備え、
前記左眼球プリズムには前記左中心軸と直交する面である左眼球平面が形成されており、
前記右眼球プリズムには前記右中心軸と直交する面である右眼球平面が形成されており、
前記左眼球プリズムの前記左中心軸方向の厚みが最大である箇所を通り、かつ前記左中心軸と平行な軸と、前記左眼球平面との交点である左眼球最大点と、前記右眼球プリズムの前記右中心軸方向の厚みが最大である箇所を通り、かつ前記右中心軸と平行な軸と、前記右眼球平面との交点である右眼球最大点と、前記左眼球プリズムの前記左中心軸方向の厚みが最小である箇所を通り、かつ前記左中心軸と平行な軸と、前記左眼球平面との交点である左眼球最小点と、前記右眼球プリズムの前記右中心軸方向の厚みが最小である箇所を通り、かつ前記右中心軸と平行な軸と、前記右眼球平面との交点である右眼球最小点とが、前記左眼球プリズムと前記左対物プリズムとが面対称となり、かつ、前記右眼球プリズムと前記右対物プリズムとが面対称となる状態において、前記左中心軸または前記右中心軸を含む同一平面上、もしくは、前記左中心軸または前記右中心軸と平行な同一平面上に位置することを特徴とする立体画像用眼鏡。
【請求項２】
前記左眼球プリズムと前記右眼球プリズムとは、前記左眼球平面と前記右眼球平面とが略同一平面上に位置するように配置されており、
前記左対物プリズムには前記左中心軸と直交する面である左対物平面が形成されており、
前記右対物プリズムには前記右中心軸と直交する面である右対物平面が形成されており、
前記左眼球プリズムと前記右眼球プリズムとは、前記左対物平面と前記右対物平面とが略同一平面上に位置するように配置されており、
前記左眼球最大点と前記右眼球最大点と前記左眼球最小点と前記右眼球最小点とが、前記左眼球プリズムと前記左対物プリズムとが面対称となり、かつ、前記右眼球プリズムと前記右対物プリズムとが面対称となる状態において、同一直線上に位置することを特徴とする請求項１に記載の立体画像用眼鏡。
【請求項３】
２つのレンズをさらに備え、
前記２つのレンズのうち一方のレンズは、前記左中心軸上に前記一方のレンズの光軸が位置するように設けられ、
前記２つのレンズのうち他方のレンズは、前記右中心軸上に前記他方のレンズの光軸が位置するように設けられ、
前記２つのレンズは、
前記左眼球平面と前記左中心軸との交点および前記右眼球平面と前記右中心軸との交点を通る線と直交する線であって、前記左中心軸および前記右中心軸と直交する面上の線の方向に前記視認対象を縮小させてユーザに視認させるレンズ、または、
前記左眼球平面と前記左中心軸との交点および前記右眼球平面と前記右中心軸との交点を通る線の方向に前記視認対象を拡大させてユーザに視認させるレンズであることを特徴とする請求項１または２に記載の立体画像用眼鏡。
【請求項４】
前記左眼球プリズム、前記左対物プリズム、前記右眼球プリズムおよび前記右対物プリズムは、外縁形状が円である円形プリズムであることを特徴とする請求項１から３のいずれか１項に記載の立体画像用眼鏡。
【請求項５】
前記左眼球プリズム、前記左対物プリズム、前記右眼球プリズムおよび前記右対物プリズムは、同一形状であることを特徴とする請求項１から４のいずれか１項に記載の立体画像用眼鏡。
【請求項６】
前記レンズを着脱可能な支持機構を設けたことを特徴とする請求項３から５のいずれか１項に記載の立体画像用眼鏡。
【請求項７】
前記左眼球平面と前記左対物平面とが対向するように、前記左眼球プリズムと前記左対物プリズムとが配され、前記右眼球平面と前記右対物平面とが対向するように、前記右眼球プリズムと前記右対物プリズムとが配されていることを特徴とする請求項１から６のいずれか１項に記載の立体画像用眼鏡。
【請求項８】
前記回転機構は、
前記左眼球プリズムおよび前記左対物プリズムをそれぞれ嵌合して保持する左プリズム保持枠と、
前記右眼球プリズムおよび前記右対物プリズムをそれぞれ嵌合して保持する右プリズム保持枠と、
外力に応じて、前記左プリズム保持枠のいずれか一方を前記左中心軸回りに、前記右プリズム保持枠のいずれか一方を前記右中心軸回りに、同回転角度で同方向、または、同角度で逆方向に回転させるウォームギア構造で形成された回転部と、
を有することを特徴とする請求項１から７のいずれか１項に記載の立体画像用眼鏡。
【請求項９】
前記左プリズム保持枠の外周端部から外周面に直交する方向に突出して形成されたフランジである左フランジ部、または、前記右プリズム保持枠の外周端部から外周面に直交する方向に突出して形成されたフランジである右フランジ部を備え、
前記左フランジ部または前記右フランジ部の外周にはローレット加工が施されていることを特徴とする請求項８に記載の立体画像用眼鏡。
【請求項１０】
前記回転機構は、
ベースフレームと、
前記ベースフレームに固定される左レール部と、
前記ベースフレームに固定される右レール部と、
前記左眼球プリズムおよび前記左対物プリズムをそれぞれ嵌合して保持し、外周に沿って設けられた案内溝である左案内溝を有する左プリズム保持枠と、
前記右眼球プリズムおよび前記右対物プリズムをそれぞれ嵌合して保持し、外周に沿って設けられた案内溝である右案内溝を有する右プリズム保持枠と、
を有し、
前記左プリズム保持枠は、前記左プリズム保持枠が前記左中心軸回りに摺動可能となるように、前記左案内溝を前記左レール部に嵌合し、
前記右プリズム保持枠は、前記右プリズム保持枠が前記右中心軸回りに摺動可能となるように、前記右案内溝を前記右レール部に嵌合することを特徴とする請求項１から７のいずれか１項に記載の立体画像用眼鏡。
【請求項１１】
前記左プリズム保持枠の内周端部の前記左中心軸方向の前記ベースフレーム側は、前記ベースフレームと前記左レール部の境界よりも前記ベースフレーム側に延長され、前記右プリズム保持枠の内周端部の前記右中心軸方向の前記ベースフレーム側は、前記ベースフレームと前記右レール部の境界よりも前記ベースフレーム側に延長されることを特徴とする請求項１０に記載の立体画像用眼鏡。
【請求項１２】
前記左レール部の高さは、前記左案内溝の深さより高く、前記右レール部の高さは、前記右案内溝の深さより高いことを特徴とする請求項１０または１１に記載の立体画像用眼鏡。
【請求項１３】
前記左レール部は、前記左案内溝の外周部に接触する、略半円柱形状の突起部を複数有し、
前記右レール部は、前記右案内溝の外周部に接触する、略半円柱形状の突起部を複数有し、
前記突起部は、その長手方向が、前記左中心軸または前記右中心軸と略平行になるように、前記左レール部および前記右レール部に設けられることを特徴とする請求項１０から１２のいずれか１項に記載の立体画像用眼鏡。
【請求項１４】
前記左眼球プリズムを保持する前記左プリズム保持枠の外周、前記右対物プリズムを保持する前記右プリズム保持枠の外周、前記左対物プリズムを保持する前記左プリズム保持枠の外周、前記右眼球プリズムを保持する前記右眼球保持枠の外周の順に張架するベルトをさらに備え、
前記ベースフレームには、前記ベルトが通過する切り欠き部が設けられ、
前記切り欠き部の縁に沿って、円柱形状の円柱部を有することを特徴とする請求項１０から１３のいずれか１項に記載の立体画像用眼鏡。
【請求項１５】
前記ベルトをラックとして、前記左プリズム保持枠の外周および前記右プリズム保持枠をピニオンとして機能させるため、前記ベルトの内周と前記左プリズム保持枠の外周および前記右プリズム保持枠の外周には互いを歯合する歯が形成されることを特徴とする請求項１４に記載の立体画像用眼鏡。
【請求項１６】
前記左眼球最大点と、前記左眼球平面と前記左中心軸との交点とを通る直線と、
前記左対物プリズムの前記左中心軸方向の厚みが最大である箇所を通り、かつ前記左中心軸と平行な軸と、前記左対物平面との交点である左対物最大点と、前記左対物平面と前記左中心軸との交点とを通る直線とが為す角、または、
前記右眼球最大点と、前記右眼球平面と前記右中心軸との交点とを通る直線と、
前記右対物プリズムの前記右中心軸方向の厚みが最大である箇所を通り、かつ前記右中心軸と平行な軸と、前記右対物平面との交点である右対物最大点と、前記右対物平面と前記右中心軸との交点とを通る直線とが為す角である調整角が、第１の角度範囲、および、前記第１の角度範囲とは異なる第２の角度範囲のうちのいずれに含まれるかを示す範囲指示部を備えることを特徴とする請求項１から１５のいずれか１項に記載の立体画像用眼鏡。
【請求項１７】
前記範囲指示部は、
前記左プリズム保持枠および前記右プリズム保持枠のいずれか一方と連動して回転する突出帯と、
支点を中心として回転することができるように設けられる第１指標および第２指標と、
前記第１指標および前記第２指標に対して、前記支点周りの力を加える弾性部と、
前記第１指標に連結されるとともに、前記支点周りの力によって、前記突出帯の外周に当接する当接部と
を有し、
前記突出帯の外周は、前記突出帯の回転中心から第１の距離離れている第１の外周部分と、前記突出帯の回転中心から、第１の距離よりも短い第２の距離離れている第２の外周部分とを有し、
前記範囲指示部は、
前記調整角が前記第１の角度範囲および前記第２の角度範囲のうちの一方の角度範囲に含まれている場合に、前記当接部が、前記第１の外周部分に当接されるとともに、前記第１指標が、前記第２指標よりも前記突出帯の外周から離れた位置に位置するように、かつ、前記調整角が他方の角度範囲に含まれている場合に、前記当接部が、前記第２の外周部分に当接されるとともに、前記第２指標が、前記第１指標よりも前記突出帯の外周から離れた位置に位置するように設けられることを特徴とする請求項１６に記載の立体画像用眼鏡。
【発明の詳細な説明】
【技術分野】
【０００１】
本発明は、立体画像を知覚させるための立体画像用眼鏡に関する。
【背景技術】
【０００２】
従来、水平視差（両眼視差）のある左右２つの画像（左眼用画像および右眼用画像）を水平方向に並べて配置し、ユーザ（観察者）が、左眼用画像を左眼で、右眼用画像を右眼で視認することにより、ユーザに立体画像を知覚させることができる技術がある。この技術（裸眼立体視）には、平行法と、交差法がある。
【０００３】
平行法は、ユーザから見て左に左眼用画像を、右に右眼用画像を配置して、ユーザが左眼の視軸（光軸、視線）と右眼の視軸（光軸、視線）とを略平行にして輻輳点を無限遠にし、焦点を画像の位置に合わせることによって、ユーザに立体画像を知覚させる方法である。交差法は、ユーザから見て左に右眼用画像を、右に左眼用画像を配置して、ユーザが左眼の視軸と右眼の視軸とを交差して輻輳点を画像の手前にし、焦点を画像の位置に合わせることによって、ユーザに立体画像を知覚させる方法である。このような平行法および交差法を用いる場合、ユーザは、自身の視軸を調整して輻輳点を調整し、さらに焦点を調整することで、立体画像を知覚する。
【０００４】
しかし、ユーザ自身の力で輻輳点と焦点の両方を調整するのは容易ではないため、ユーザは、平行法や交差法を利用して立体画像を知覚するために、ある程度、訓練しなくてはならない。また、訓練を行ったとしても、ユーザによっては、輻輳点と焦点の両方を別々に調整することができず、立体画像を知覚できないこともある。また、人は、自身の左右の眼の視軸を平行にするのが限界であり、左右２つの画像（左右画像）の輻輳角（視軸の相対角）を９０度以下にしなければ、ユーザに立体映像を知覚させることができない。
【０００５】
そこで、眼鏡の左側に１つのプリズムが、右側に１つのプリズムがそれぞれ配置された立体視用眼鏡が開示されている（例えば、特許文献１）。
【先行技術文献】
【特許文献】
【０００６】
【特許文献１】特開２００５−３８２４号公報
【発明の概要】
【発明が解決しようとする課題】
【０００７】
しかし、上述した特許文献１の技術では、ユーザの輻輳角が、プリズムの屈折角に固定されてしまうため、プリズムの屈折角に基づいた輻輳点で立体画像を知覚させることを想定した画像でなければ、ユーザに立体画像を知覚させることができなかった。また、画像が固定されている場合、その屈折角に基づいてユーザが画像を視認して立体画像を知覚できる位置が制限されていた。
【０００８】
そこで本発明は、このような課題に鑑み、画像の位置や画像に対するユーザの相対位置に応じて、視軸の水平面内の回動のみを容易かつ高精度に調整することができる立体画像用眼鏡を提供することを目的としている。
【課題を解決するための手段】
【０００９】
（１）上記課題を解決するために、本発明の、立体画像を知覚させるための立体画像用眼鏡は、ユーザが立体画像用眼鏡を装着したときに、ユーザの左眼側に位置するように配された左眼球プリズムと、左眼球プリズムよりも、立体画像用眼鏡によって視認する視認対象側であって、左眼球プリズムの中心を通る軸である左中心軸に自体の中心が位置するように配された左対物プリズムと、ユーザの右眼側に位置するように配された右眼球プリズムと、右眼球プリズムよりも、視認対象側であって、右眼球プリズムの中心を通る軸である右中心軸に自体の中心が位置するように配された右対物プリズムと、外力に応じて、左中心軸を回転軸として左眼球プリズムを回転させるとともに、左眼球プリズムと同回転角度で逆方向に左対物プリズムを回転させ、さらに、左眼球プリズムと同回転角度で同方向、または、同回転角度で逆方向に、右中心軸を回転軸として右眼球プリズムを回転させるとともに、右眼球プリズムと同回転角度で逆方向に右対物プリズムを回転させる回転機構と、を備え、左眼球プリズムには左中心軸と直交する面である左眼球平面が形成されており、右眼球プリズムには右中心軸と直交する面である右眼球平面が形成されており、左眼球プリズムの左中心軸方向の厚みが最大である箇所を通り、かつ左中心軸と平行な軸と、左眼球平面との交点である左眼球最大点と、右眼球プリズムの右中心軸方向の厚みが最大である箇所を通り、かつ右中心軸と平行な軸と、右眼球平面との交点である右眼球最大点と、左眼球プリズムの左中心軸方向の厚みが最小である箇所を通り、かつ左中心軸と平行な軸と、左眼球平面との交点である左眼球最小点と、右眼球プリズムの右中心軸方向の厚みが最小である箇所を通り、かつ右中心軸と平行な軸と、右眼球平面との交点である右眼球最小点とが、左眼球プリズムと左対物プリズムとが面対称となり、かつ、右眼球プリズムと右対物プリズムとが面対称となる状態において、左中心軸または右中心軸を含む同一平面上、もしくは左中心軸または右中心軸と平行な同一平面上に位置することを特徴とする。
（２）左眼球プリズムと右眼球プリズムとは、左眼球平面と右眼球平面とが略同一平面上に位置するように配置されており、左対物プリズムには左中心軸と直交する面である左対物平面が形成されており、右対物プリズムには右中心軸と直交する面である右対物平面が形成されており、左眼球プリズムと右眼球プリズムとは、左対物平面と右対物平面とが略同一平面上に位置するように配置されており、左眼球最大点と右眼球最大点と左眼球最小点と右眼球最小点とが、左眼球プリズムと左対物プリズムとが面対称となり、かつ、右眼球プリズムと右対物プリズムとが面対称となる状態において、同一直線上に位置してもよい。
（３）２つのレンズをさらに備え、２つのレンズのうち一方のレンズは、左中心軸上に一方のレンズの光軸が位置するように設けられ、２つのレンズのうち他方のレンズは、右中心軸上に他方のレンズの光軸が位置するように設けられ、２つのレンズは、左眼球平面と左中心軸との交点および右眼球平面と右中心軸との交点を通る線と直交する線であって、左中心軸および右中心軸と直交する面上の線の方向に視認対象を縮小させてユーザに視認させるレンズ、または、左眼球平面と左中心軸との交点および右眼球平面と右中心軸との交点を通る線の方向に視認対象を拡大させてユーザに視認させるレンズであってもよい。
（４）左眼球プリズム、左対物プリズム、右眼球プリズムおよび右対物プリズムは、外縁形状が円である円形プリズムであってもよい。
（５）左眼球プリズム、左対物プリズム、右眼球プリズムおよび右対物プリズムは、同一形状であってもよい。
（６）レンズを着脱可能な支持機構を設けてもよい。
（７）左眼球平面と左対物平面とが対向するように、左眼球プリズムと左対物プリズムとが配され、右眼球平面と右対物平面とが対向するように、右眼球プリズムと右対物プリズムとが配されていてもよい。
（８）回転機構は、左眼球プリズムおよび左対物プリズムをそれぞれ嵌合して保持する左プリズム保持枠と、右眼球プリズムおよび右対物プリズムをそれぞれ嵌合して保持する右プリズム保持枠と、外力に応じて、左プリズム保持枠のいずれか一方を左中心軸回りに、右プリズム保持枠のいずれか一方を右中心軸回りに、同回転角度で同方向、または、同角度で逆方向に回転させるウォームギア構造で形成された回転部と、を有してもよい。
（９）左プリズム保持枠の外周端部から外周面に直交する方向に突出して形成されたフランジである左フランジ部、または、右プリズム保持枠の外周端部から外周面に直交する方向に突出して形成されたフランジである右フランジ部を備え、左フランジ部または右フランジ部の外周にはローレット加工が施されてもよい。
（１０）回転機構は、ベースフレームと、ベースフレームに固定される左レール部と、ベースフレームに固定される右レール部と、左眼球プリズムおよび左対物プリズムをそれぞれ嵌合して保持し、外周に沿って設けられた案内溝である左案内溝を有する左プリズム保持枠と、右眼球プリズムおよび右対物プリズムをそれぞれ嵌合して保持し、外周に沿って設けられた案内溝である右案内溝を有する右プリズム保持枠と、を有し、左プリズム保持枠は、左プリズム保持枠が左中心軸回りに摺動可能となるように、左案内溝を左レール部に嵌合し、右プリズム保持枠は、右プリズム保持枠が右中心軸回りに摺動可能となるように、右案内溝を右レール部に嵌合してもよい。
（１１）左プリズム保持枠の内周端部の左中心軸方向のベースフレーム側は、ベースフレームと左レール部の境界よりもベースフレーム側に延長され、右プリズム保持枠の内周端部の右中心軸方向のベースフレーム側は、ベースフレームと右レール部の境界よりもベースフレーム側に延長されてもよい。
（１２）左レール部の高さは、左案内溝の深さより高く、右レール部の高さは、右案内溝の深さより高くてもよい。
（１３）左レール部は、左案内溝の外周部に接触する、略半円柱形状の突起部を複数有し、右レール部は、右案内溝の外周部に接触する、略半円柱形状の突起部を複数有し、突起部は、その長手方向が、左中心軸または右中心軸と略平行になるように、左レール部および右レール部に設けられてもよい。
（１４）左眼球プリズムを保持する左プリズム保持枠の外周、右対物プリズムを保持する右プリズム保持枠の外周、左対物プリズムを保持する左プリズム保持枠の外周、右眼球プリズムを保持する右眼球保持枠の外周の順に張架するベルトをさらに備え、ベースフレームには、ベルトが通過する切り欠き部が設けられ、切り欠き部の縁に沿って、円柱形状の円柱部を有してもよい。
（１５）ベルトをラックとして、左プリズム保持枠の外周および右プリズム保持枠をピニオンとして機能させるため、ベルトの内周と左プリズム保持枠の外周および右プリズム保持枠の外周には互いを歯合する歯が形成されてもよい。
（１６）左眼球最大点と、左眼球平面と左中心軸との交点とを通る直線と、左対物プリズムの左中心軸方向の厚みが最大である箇所を通り、かつ左中心軸と平行な軸と、左対物平面との交点である左対物最大点と、左対物平面と左中心軸との交点とを通る直線とが為す角、または、右眼球最大点と、右眼球平面と右中心軸との交点とを通る直線と、右対物プリズムの右中心軸方向の厚みが最大である箇所を通り、かつ右中心軸と平行な軸と、右対物平面との交点である右対物最大点と、右対物平面と右中心軸との交点とを通る直線とが為す角である調整角が、第１の角度範囲、および、第１の角度範囲とは異なる第２の角度範囲のうちのいずれに含まれるかを示す範囲指示部を備えてもよい。
（１７）範囲指示部は、左プリズム保持枠および右プリズム保持枠のいずれか一方と連動して回転する突出帯と、支点を中心として回転することができるように設けられる第１指標および第２指標と、第１指標および第２指標に対して、支点周りの力を加える弾性部と、第１指標に連結されるとともに、支点周りの力によって、突出帯の外周に当接する当接部とを有し、突出帯の外周は、突出帯の回転中心から第１の距離離れている第１の外周部分と、突出帯の回転中心から、第１の距離よりも短い第２の距離離れている第２の外周部分とを有し、範囲指示部は、調整角が第１の角度範囲および第２の角度範囲のうちの一方の角度範囲に含まれている場合に、当接部が、第１の外周部分に当接されるとともに、第１指標が、第２指標よりも突出帯の外周から離れた位置に位置するように、かつ、調整角が他方の角度範囲に含まれている場合に、当接部が、第２の外周部分に当接されるとともに、第２指標が、第１指標よりも突出帯の外周から離れた位置に位置するように設けられてもよい。
【発明の効果】
【００１０】
本発明の立体画像用眼鏡によれば、画像の位置や画像に対するユーザの相対位置に応じて、視軸の水平面内の回動のみを容易かつ高精度に調整することができる。
【図面の簡単な説明】
【００１１】
【図１】第１の実施形態にかかる立体画像用眼鏡の外観を説明するための説明図である。
【図２】左眼球プリズム、左対物プリズム、右眼球プリズムおよび右対物プリズムの相対的な位置関係を説明するための説明図である。
【図３】左眼球プリズム、左対物プリズム、右眼球プリズムおよび右対物プリズムの相対的な位置関係を説明するための説明図である。
【図４】左眼球プリズム、左対物プリズム、右眼球プリズムおよび右対物プリズムの相対的な位置関係を説明するための説明図である。
【図５】プリズムの回転と、これに伴う光軸の回動を説明するための説明図である。
【図６】プリズムの回転と、これに伴う光軸の回動を説明するための説明図である。
【図７】プリズムの回転と、これに伴う光軸の回動を説明するための説明図である。
【図８】プリズムの精度を説明するための説明図である。
【図９】左レンズおよび右レンズの形状を説明するための説明図である。
【図１０】第１の実施形態にかかる回転機構の一例を説明するための説明図である。
【図１１】第１の実施形態にかかる回転機構の一例を説明するための説明図である。
【図１２】第１の実施形態にかかる回転機構の一例を説明するための説明図である。
【図１３】第１の実施形態にかかる回転機構の一例を説明するための説明図である。
【図１４】第１の実施形態にかかる回転機構の他の例を説明するための説明図である。
【図１５】第１の実施形態にかかる範囲指示部を説明するための説明図である。
【図１６】範囲指示部の具体的な構成を説明するための説明図である。
【図１７】第２の実施形態にかかる立体画像用眼鏡の外観を説明するための説明図である。
【図１８】第２の実施形態にかかる回転機構の一例を説明するための説明図である。
【図１９】第２の実施形態にかかる左プリズム保持枠と左レール部との関係および右プリズム保持枠と右レール部との関係を説明するための説明図である。
【図２０】第２の実施形態にかかる、他の左プリズム保持枠、左レール部、右プリズム保持枠、右レール部、ベースフレームを説明するための説明図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。また、以下の各実施形態において、「回動」は「回転」と同様な意味であるとするが、プリズムや保持枠の中心軸回りの回転に関しては「回転」、光軸の水平面内における鉛直軸回りの回転に関しては「回動」を用いて説明する。
【００１３】
（第１の実施形態にかかる立体画像用眼鏡１００）
図１は、第１の実施形態にかかる立体画像用眼鏡１００の外観を説明するための説明図である。図１に示すように立体画像用眼鏡１００は、左眼球プリズム１１０と、左対物プリズム１１２と、右眼球プリズム１２０と、右対物プリズム１２２と、左レンズ１３０と、右レンズ１３２と、支持機構１５０と、回転機構２００とを含んで構成される。左眼球プリズム１１０、左対物プリズム１１２、右眼球プリズム１２０、及び右対物プリズム１２２は、例えば、ウェッジプリズムである。
【００１４】
図２〜図４は、左眼球プリズム１１０、左対物プリズム１１２、右眼球プリズム１２０および右対物プリズム１２２の相対的な位置関係を説明するための説明図である。図２は、立体画像用眼鏡１００をユーザの眼の位置に装着し、左眼球プリズム１１０の中心を通る軸（左眼の視軸に相当する軸）である左中心軸１１４と、右眼球プリズム１２０の中心を通る軸（右眼の視軸に相当する軸）である右中心軸１２４とが水平面で平行になるような姿勢にしたときに、鉛直上方から立体画像用眼鏡１００を見た場合（以下、単に上面視と称する）の、左眼球プリズム１１０、左対物プリズム１１２、右眼球プリズム１２０および右対物プリズム１２２の位置関係を示す。以下、立体画像用眼鏡１００を装着し、左中心軸１１４と右中心軸１２４とが水平面で平行になるような姿勢にした状態における鉛直上方を単に上と、鉛直下方を単に下と称する。また、以下の実施形態において、図面を用いて立体画像用眼鏡を説明する場合、立体画像用眼鏡の姿勢は、特に記載がなければ、立体画像用眼鏡をユーザの眼の位置に装着し、左中心軸１１４と右中心軸１２４とが水平面で平行になるような姿勢とする。また、特に記載がなければ、ユーザが立体画像用眼鏡を通して、視認対象（視認対象画像）を視認しているものとする。
【００１５】
図２に示すように、左眼球プリズム１１０は、ユーザが立体画像用眼鏡１００を装着したときに、ユーザの左眼側に位置するように配される。左対物プリズム１１２は、ユーザが立体画像用眼鏡１００を装着したときに、左眼球プリズム１１０よりも、立体画像用眼鏡によって視認する視認対象（ここでは画像１０２（以下、単に、視認対象画像と称する））側であって、左中心軸１１４に左対物プリズム１１２の中心が位置するように配される。このように、本実施形態において、左中心軸１１４は、左眼球プリズム１１０の中心、および、左対物プリズム１１２の中心を通る軸である。
【００１６】
また、右眼球プリズム１２０は、ユーザが立体画像用眼鏡１００を装着したときに、ユーザの右眼側に位置するように配される。右対物プリズム１２２は、ユーザが立体画像用眼鏡１００を装着したときに、右眼球プリズム１２０よりも、視認対象画像１０２側であって、右中心軸１２４に右対物プリズム１２２の中心が位置するように配される。このように、本実施形態において、右中心軸１２４は、右眼球プリズム１２０の中心、および、右対物プリズム１２２の中心を通る軸である。
【００１７】
図２に示すように、左眼球プリズム１１０には左中心軸１１４と直交する面である左眼球平面１１０ａが形成されており、右眼球プリズムには右中心軸と直交する面である右眼球平面１２０ａが形成されている。そして、図３（ａ）に示すように、左眼球平面１１０ａと右眼球平面１２０ａとは、同一平面１０４ａ上に位置している。また、左対物プリズム１１２には左中心軸１１４と直交する面である左対物平面１１２ａが形成されており、右対物プリズム１２２には右中心軸１２４と直交する面である右対物平面１２２ａが形成されている。そして、図３（ｂ）に示すように、左対物平面１１２ａと右対物平面１２２ａとは同一平面１０４ｂ上に位置している。なお、左眼球平面１１０ａと右眼球平面１２０ａとは、必ずしも同一平面１０４ａ上に位置していなくてもよいが、同一平面１０４ａ上に位置するようにした方が、設計が容易になる。また、左対物平面１１２ａと右対物平面１２２ａとは、必ずしも同一平面１０４ｂ上に位置していなくてもよいが同一平面１０４ｂに位置するようにした方が、設計が容易になる。
【００１８】
左眼球プリズム１１０、左対物プリズム１１２、右眼球プリズム１２０、および右対物プリズム１２２のうちの１枚のプリズムをプリズムの中心軸回りに回転させる場合、そのプリズムの光軸の回動は、水平面内の回動成分と、プリズムの中心軸を含み、水平面と直交する面（以下、鉛直面と称する）内の回動成分とが合わさったものとなる。そこで、左眼球プリズム１１０と左対物プリズム１１２の組み合わせ、または右眼球プリズム１２０と右対物プリズム１２２の組み合わせ（以下、単に、２つのプリズムと称する）を、そのプリズムの中心軸（左中心軸１１４または右中心軸１２４）回りに同回転角度で各々逆方向に回転させると、一方のプリズムの光軸の鉛直面内の回動成分と、他方のプリズムの光軸の鉛直面内の回動成分とが互いに打ち消しあうことになる。このため、２つのプリズムをそのプリズムの中心軸回りに同回転角度で各々逆方向に回転させることにより、光軸の回動は、水平面内（１つの面内）に規制される。
【００１９】
プリズムは、眼球側に位置する面と視認対象画像１０２側に位置する面とが平行ではないため、上述した、光軸の回動を１つの面内に規制する技術を利用して、プリズムの光軸の回動を、立体画像用眼鏡１００を装着した状態の水平面内に規制するためには、以下のように、４つのプリズムを配置する。図２および図４（ａ）に示すように、左眼球プリズム１１０と左対物プリズム１１２とが面対称となり、かつ、右眼球プリズム１２０と右対物プリズム１２２とが面対称となる状態（基準状態）において、左眼球最大点１１６ａと、左眼球最小点１１６ｂと、右眼球最大点１２６ａと、右眼球最小点１２６ｂとが同一直線１０６ａ上に位置するように、また、左対物最大点１１８ａと、左対物最小点１１８ｂと、右対物最大点１２８ａと、右対物最小点１２８ｂとが同一直線１０６ｂ上に位置するように、左眼球プリズム１１０、左対物プリズム１１２、右眼球プリズム１２０および右対物プリズム１２２（以下、単に４つのプリズムと称する）を配置する。
【００２０】
なお、左眼球平面１１０ａと右眼球平面１２０ａとが同一平面１０４ａ上に位置させず、さらに、左対物平面１１２ａと右対物平面１２２ａとが同一平面１０４ｂ上に位置させないように構成した場合は、上述した基準状態において、左眼球最大点１１６ａと、左眼球最小点１１６ｂと、右眼球最大点１２６ａと、右眼球最小点１２６ｂとが、左中心軸１１４または右中心軸１２４を含む同一平面（本実施形態においては水平面）上に位置するように、また、左対物最大点１１８ａと、左対物最小点１１８ｂと、右対物最大点１２８ａと、右対物最小点１２８ｂとが、左中心軸１１４または右中心軸１２４を含む同一平面（本実施形態においては水平面）上に位置するように、左眼球プリズム１１０、左対物プリズム１１２、右眼球プリズム１２０および右対物プリズム１２２を配置する。
【００２１】
また、左眼球平面１１０ａと右眼球平面１２０ａとを同一平面上に位置させ、左対物平面１１２ａと右対物平面１２２ａとを同一平面上に位置させるように構成し、上述した基準状態において、左眼球最大点１１６ａと、左眼球最小点１１６ｂと、右眼球最大点１２６ａと、右眼球最小点１２６ｂとが、左中心軸１１４または右中心軸１２４と平行な同一平面（本実施形態においては水平面）上に位置するように、左眼球プリズム１１０、左対物プリズム１１２、右眼球プリズム１２０および右対物プリズム１２２を配置してもよい。
【００２２】
ここで、左眼球最大点１１６ａは、左眼球プリズム１１０の左中心軸１１４方向の厚みが最大である箇所を通り、かつ左中心軸１１４と平行な軸１１４ａと、左眼球平面１１０ａとの交点である。左眼球最小点１１６ｂは、左眼球プリズム１１０の左中心軸１１４方向の厚みが最小である箇所を通り、かつ左中心軸１１４と平行な軸１１４ｂと、左眼球平面１１０ａとの交点である。また、右眼球最大点１２６ａは、右眼球プリズム１２０の右中心軸１２４方向の厚みが最大である箇所を通り、かつ右中心軸１２４と平行な軸１２４ａと、右眼球平面１２０ａとの交点である。右眼球最小点１２６ｂは、右眼球プリズム１２０の右中心軸１２４方向の厚みが最小である箇所を通り、かつ右中心軸１２４と平行な軸１２４ｂと、右眼球平面１２０ａとの交点である。
【００２３】
左対物最大点１１８ａは、左対物プリズム１１２の左中心軸１１４方向の厚みが最大である箇所を通り、かつ左中心軸１１４と平行な軸１１４ａと、左対物平面１１２ａとの交点である。左対物最小点１１８ｂは、左対物プリズム１１２の左中心軸１１４方向の厚みが最小である箇所を通り、かつ左中心軸１１４と平行な軸１１４ｂと、左対物平面１１２ａとの交点である。右対物最大点１２８ａは、右対物プリズム１２２の右中心軸１２４方向の厚みが最大である箇所を通り、かつ右中心軸１２４と平行な軸１２４ａと、右対物平面１２２ａとの交点である。右対物最小点１２８ｂは、右対物プリズム１２２の右中心軸１２４方向の厚みが最小である箇所を通り、かつ右中心軸１２４と平行な軸１２４ｂと、右対物平面１２２ａとの交点である。
【００２４】
人は、立体画像を結像するために生成された左右の眼用の２つの画像（左眼用画像および右眼用画像）を、それぞれ対応する眼でそれぞれ視認することで立体画像を正しく結像することができる。例えば、平行法では、ユーザから見て左に左眼用画像を、右に右眼用画像を配置して、ユーザは、左眼の視軸（光軸、視線）と右眼の視軸（光軸、視線）とを略平行にして輻輳点を無限遠にし、かつ、焦点を画像の位置に合わせることで、立体画像を知覚することができる。一方、交差法では、ユーザから見て左に右眼用画像を、右に左眼用画像を配置して、ユーザは、左眼の視軸と右眼の視軸とを交差して輻輳点を画像の手前にし、かつ、焦点を画像の位置に合わせることで、立体画像を知覚することができる。
【００２５】
このように、平行法および交差法のいずれを利用する場合であっても、２つの画像（以下、単に左右画像と称する）は、視軸（光軸、視線）に直交する面において、水平方向に異なる位置に重ならないように配されることとなるため、ユーザは、左右の眼の視軸の水平面内の相対角（輻輳角）と焦点とを別々に調整しなければならない。なお、平行法を利用する場合、ユーザは、左右の眼の視軸を略平行とし、かつ焦点調整しなければならない。以下、視軸を略平行とする場合も輻輳角と称することで説明を省略する。
【００２６】
しかし、ユーザ自身の力で輻輳角と焦点の両方を別々に調整するのは、容易ではないため、ユーザは、平行法や交差法を利用して立体画像を知覚するために、ある程度、訓練しなければならない。また、訓練を行ったとしても、ユーザによっては、輻輳角と焦点の両方を調整することができず、立体画像を知覚できないこともある。また、人は、左右の眼の自身の視軸を平行にするのが限界であり、輻輳角が０度を下回った状態で視認しないと立体画像を知覚することができないような画像の場合は、立体画像を知覚することが難しい。
【００２７】
そこで、左眼球プリズム１１０と左対物プリズム１１２とを、左中心軸１１４回りに同回転角度で逆方向に回転させると、左眼球プリズム１１０および左対物プリズム１１２の鉛直方向の光軸の回動が相殺され、鉛直方向に光軸が回動することはなく、左眼球プリズム１１０または左対物プリズム１１２の回転角度に応じて水平面内でのみ光軸が回動する。同様に、右眼球プリズム１２０と右対物プリズム１２２とを、右中心軸１２４回りに同回転角度で逆方向に回転させると、右眼球プリズム１２０および右対物プリズム１２２の鉛直方向の光軸の回動が相殺され、鉛直方向に光軸が回動することはなく、右眼球プリズム１２０または右対物プリズム１２２の回転角度に応じて水平面内でのみ光軸が回動する。
【００２８】
図５から図７は、プリズムの回転と、これに伴う光軸の回動を説明するための説明図であり、立体画像用眼鏡１００を上面視した場合の図である。また、図５から図７において、左眼球プリズム１１０および左対物プリズム１１２に関する光軸については、鉛直軸１３４ａを回動軸とした反時計回りの回動を正とする。また、図５から図７において、右眼球プリズム１２０および右対物プリズム１２２に関する光軸については、鉛直軸１３４ｂを回動軸とした時計回りの回動を正とする。また、ここでは、４つのプリズムそれぞれの屈折角が１５度である場合について説明する。
【００２９】
例えば、図５に示す、左対物最小点１１８ｂ、右対物最小点１２８ｂ、左眼球最大点１１６ａ、右眼球最大点１２６ａが同一の水平面に位置する場合（また、左対物最大点１１８ａ、右対物最大点１２８ａ、左眼球最小点１１６ｂ、右眼球最小点１２６ｂが同一の水平面に位置する場合）、左対物プリズム１１２から視認対象画像１０２に向かう方向の光軸（以下、単に左光軸と称する）と、右対物プリズム１２２から視認対象画像１０２に向かう方向の光軸（以下、単に右光軸と称する）は、略平行となる。この場合の立体画像用眼鏡１００を装着したユーザの左眼は、左眼球プリズム１１０および左対物プリズム１１２を通じて、ユーザから見て左側に位置する左眼用画像１０２ａを視認し、右眼は、右眼球プリズム１２０および右対物プリズム１２２を通じて、ユーザから見て右側に位置する右眼用画像１０２ｂを視認することができる。したがって、左眼用画像１０２ａおよび右眼用画像１０２ｂを、輻輳点を無限遠にした平行法に対応させておけば、ユーザは、立体画像用眼鏡１００を装着して、４つのプリズムを回動させることで、立体画像用眼鏡１００を平行法に対応する状態に調整するだけで、容易に立体映像を知覚することができる。
【００３０】
そして、図５に示す状態から、左眼球プリズム１１０と左対物プリズム１１２とを同回転角度で各々逆方向に、左中心軸１１４回りに回転させ、右眼球プリズム１２０と右対物プリズム１２２とを同回転角度で各々逆方向に、右中心軸１２４回りに回転させ、図６に示す、左対物最小点１１８ｂ、左対物最大点１１８ａ、右対物最大点１２８ａおよび右対物最小点１２８ｂがこの順で、また、左眼球最小点１１６ｂ、左眼球最大点１１６ａ、右眼球最大点１２６ａ、および右眼球最小点１２６ｂがこの順で、同一の水平面内に位置する状態にする。すなわち、左対物最大点１１８ａと右対物最大点１２８ａが対向し、左眼球最大点１１６ａと右眼球最大点１２６ａが対向する位置にする。そうすると、図６に示すように、左光軸と右光軸とを、それぞれ水平面内で＋３０度回動（このときの、光軸の水平面内の相対角は６０度）させることができる。この場合の立体画像用眼鏡１００を装着したユーザの左眼は、左眼球プリズム１１０および左対物プリズム１１２を通じて、ユーザから見て右側に位置する左眼用画像１０２ａを視認し、右眼は、右眼球プリズム１２０および右対物プリズム１２２を通じて、ユーザから見て左側に位置する右眼用画像１０２ｂを視認することができる。したがって、左眼用画像１０２ａおよび右眼用画像１０２ｂを、輻輳点１３６が視認対象画像１０２のユーザ側に位置し輻輳角を６０°にした交差法に対応させておけば、ユーザは、立体画像用眼鏡１００を装着して、４つのプリズムを回動させることで、立体画像用眼鏡１００を交差法に対応する状態に調整するだけで、容易に立体映像を知覚することができる。
【００３１】
また、図６に示す状態から、さらに、左眼球プリズム１１０と左対物プリズム１１２とを同回転角度で逆方向に、左中心軸１１４回りに回転させ、右眼球プリズム１２０と右対物プリズム１２２とを同回転角度で逆方向に、右中心軸１２４回りに回転させ、図７に示す、左対物最大点１１８ａ、左対物最小点１１８ｂ、右対物最小点１２８ｂおよび右対物最大点１２８ａがこの順で、また、左眼球最大点１１６ａ、左眼球最小点１１６ｂ、右眼球最小点１２６ｂおよび右眼球最大点１２６ａがこの順で、同一の水平面内に位置する状態にする。すなわち、左対物最小点１１８ｂと右対物最小点１２８ｂとが対向し、左眼球最小点１１６ｂと右眼球最小点１２６ｂとが対向する位置にする。そうすると、図７に示すように、左光軸と右光軸とを、それぞれ水平面内で−３０度回動（このときの、光軸の水平面内の相対角は−６０度）させることが可能となる。この場合の立体画像用眼鏡１００を装着したユーザの左眼は、左眼球プリズム１１０および左対物プリズム１１２を通じて、ユーザから見て左側に位置する左眼用画像１０２ａを視認し、右眼は、右眼球プリズム１２０および右対物プリズム１２２を通じて、ユーザから見て右側に位置する右眼用画像１０２ｂを視認することができる。また、この場合、ユーザの視差を、ユーザの左右の眼の間の距離（眼間距離）以上とすることができる。したがって、平行法によって裸眼では立体映像が結像できないような、眼間距離よりも長い視差の左眼用画像１０２ａおよび右眼用画像１０２ｂであっても、立体画像用眼鏡１００を装着すれば、ユーザは、容易に立体映像を知覚することができる。
【００３２】
また、左眼球プリズム１１０と左対物プリズム１１２とが面対称となり、かつ、右眼球プリズム１２０と右対物プリズム１２２とが面対称となる状態において、左眼球最大点１１６ａと、左眼球最小点１１６ｂと、右眼球最大点１２６ａと、右眼球最小点１２６ｂとが同一直線１０６ａ上に位置するように立体画像用眼鏡１００を構成することにより、このような水平面内で光軸を左右対称に回動させて輻輳角を調整することができ、ユーザは、焦点のみを調整しさえすれば立体画像を容易に結像することが可能となる。
【００３３】
さらに、立体画像用眼鏡１００の光軸の水平面内の相対角は各プリズムの屈折角によっては、最大で−９０〜９０度まで回動させるように設定することが可能なので、立体画像用眼鏡１００は、平行法および交差法のいずれにも対応できる。また、２つのプリズムを回転させることによって、２つのプリズムの光軸の水平面内の回動を調整できるので、プリズムの回転量に対して、プリズムの光軸の回動角を細かく調整でき、光軸の高精度な調整が可能となる。
【００３４】
また、図１〜図５に示すように、左眼球プリズム１１０、左対物プリズム１１２、右眼球プリズム１２０および右対物プリズム１２２は、外縁形状が円である円形プリズムであることが好ましい。
【００３５】
本実施形態の立体画像用眼鏡１００は、片眼に関し、２つのプリズムをそのプリズムの中心軸回りにそれぞれ逆方向に回転するように構成されている。そこで、４つのプリズムの外縁形状を円とすることで、回転角度によって見かけ上の外縁形状が変化しないので、回転機構２００を形成し易い。また、２つのプリズムの外縁形状を半径の等しい円とすることで、ユーザが立体画像を正しく結像できる有効領域を円すべての範囲に適応できるので、プリズムの、立体画像を結像できない無駄な領域を排除することが可能となる。
【００３６】
また、左眼球プリズム１１０、左対物プリズム１１２、右眼球プリズム１２０および右対物プリズム１２２は、略同一形状にするとよい。以下、その理由について説明する。
【００３７】
図８は、プリズムの精度を説明するための説明図である。図８（ａ）に示すように、例えば、交差法を利用して、ユーザに立体画像を知覚させる場合、視認対象画像１０２として、ユーザから見て左に右眼用画像１０２ｂを、右に左眼用画像１０２ａを配置する。ここで、４つのプリズムの屈折角にバラツキがあると、それぞれのプリズムを同角度回転させた場合は、左眼球プリズム１１０と左対物プリズム１１２とで、また、右眼球プリズム１２０と右対物プリズム１２２とで、鉛直方向の光軸の回動を相殺することができず、鉛直方向にも光軸が回動してしまう。したがって、ユーザが、４つのプリズムの屈折角にバラツキがある立体画像用眼鏡を通じて視認すると、図８（ｂ）に示すように、左眼用画像１０２ａと右眼用画像１０２ｂとが鉛直方向にずれてしまい、ユーザは立体画像を正しく結像することができない。
【００３８】
そこで、４つのプリズムを同一形状とすることで、すべてのプリズムの屈折角の誤差を等しくでき、プリズムごとの屈折角のバラツキを抑えることが可能となる。これにより、それぞれのプリズムを同角度回転させることで、図８（ｃ）に示すように、鉛直方向の光軸の回動を抑え、左眼用画像１０２ａと右眼用画像１０２ｂとを確実に結像させることができる。また、左眼球プリズム１１０、左対物プリズム１１２、右眼球プリズム１２０および右対物プリズム１２２を同一形状とすれば、同一の金型で、４つのプリズムを作成することができるので、プリズムごとの屈折角のバラツキを抑えるのみならず、製造コストを低減することも可能となる。また、それぞれのプリズムを同角度回転させればよいので、回転機構２００の構造も簡単にすることができる。
【００３９】
また、図１に示すように、立体画像用眼鏡１００は、例えば、アナモフィックレンズ等のレンズを２つ（左レンズ１３０および右レンズ１３２）備える。すなわち、２つのレンズ（左レンズ１３０および右レンズ１３２）は、左眼球平面１１０ａと左中心軸１１４との交点および右眼球平面１２０ａと右中心軸１２４との交点を通る線と直交する線であって、左中心軸１１４および右中心軸１２４と直交する面上の線の方向に視認対象画像１０２を縮小させてユーザに視認させるレンズ（以下、単に縮小レンズと称する）、または、左眼球平面１１０ａと左中心軸１１４との交点および右眼球平面１２０ａと右中心軸１２４との交点を通る線の方向に視認対象画像１０２を拡大させてユーザに視認させるレンズ（以下、単に拡大レンズと称する）である。
【００４０】
したがって、例えば、２つのレンズを縮小レンズで構成した立体画像用眼鏡１００を、左眼球プリズム１１０の左中心軸１１４と、右眼球プリズム１２０の右中心軸１２４とが、水平面で平行になるような姿勢にすると、２つのレンズの縮小方向は、鉛直方向となり、２つのレンズを拡大レンズで構成した立体画像用眼鏡１００を、左眼球プリズム１１０の左中心軸１１４と、右眼球プリズム１２０の右中心軸１２４とが、水平面で平行になるような姿勢にすると、２つのレンズの拡大方向は、水平方向となる。また、左レンズ１３０および右レンズ１３２は、支持機構１５０に着脱される。なお、図１に示す左レンズ１３０および右レンズ１３２は、縮小レンズを用いた例である。
【００４１】
図９を用いて、左レンズ１３０および右レンズ１３２について、詳細に説明する。図９は、左レンズ１３０および右レンズ１３２の形状を説明するための説明図であり、特に図９（ａ）は、左レンズ１３０および右レンズ１３２が、拡大レンズである場合の斜視図を、図９（ｂ）は、左レンズ１３０および右レンズ１３２が、拡大レンズである場合の水平断面図をそれぞれ示す。また、図９（ｃ）は、左レンズ１３０および右レンズ１３２が、縮小レンズである場合の斜視図を、図９（ｄ）、（ｅ）は、左レンズ１３０および右レンズ１３２が、縮小レンズである場合の、左レンズ１３０の左中心軸１１４を含む鉛直断面図および右レンズ１３２の右中心軸１２４を含む鉛直断面図を、それぞれ示す。
【００４２】
図９（ａ）、（ｂ）に示すように、左レンズ１３０は、ユーザが立体画像用眼鏡１００を装着した場合のユーザの左眼球側に、左レンズ１３０の光軸１３０ａを含む水平面と直交する平面１３０ｂを有する。同様に、右レンズ１３２は、ユーザが立体画像用眼鏡１００を装着した場合のユーザの右眼球側に、光軸１３２ａを含む水平面と直交する平面１３２ｂを有する。
【００４３】
左レンズ１３０および右レンズ１３２が、レンズの光軸（１３０ａまたは１３２ａ）を含む水平面と直交する平面（１３０ｂまたは１３２ｂ）を有する構成により、支持機構１５０とレンズの平面を面一（段差がない状態）にすることができ、支持機構１５０とレンズの美観を向上させることが可能となる。
【００４４】
左レンズ１３０の視認対象画像１０２側の面１３０ｃは、左レンズ１３０のどの水平断面においても、その断面の形状が、視認対象画像１０２側に凸になるように形成される。同様に、右レンズ１３２の視認対象画像１０２側の面１３２ｃは、右レンズ１３２のどの水平断面においても、その断面の形状が、視認対象画像１０２側に凸になるように形成される。また、拡大レンズの場合、平面１３０ｂと直交し、かつ水平面と直交する面を断面としたときの左レンズ１３０の断面は、どの断面においても矩形形状となる。同様に、平面１３２ｂと直交し、かつ水平面と直交する面を断面としたときの右レンズ１３２の断面は、どの断面においても矩形形状となる。そして、支持機構１５０は、面１３０ｃと面１３２ｃとが、視認対象画像１０２の方向に向くように、左レンズ１３０および右レンズ１３２を支持する。また、支持機構１５０は、左レンズ１３０の光軸１３０ａと左中心軸１１４とが一致するように、右レンズ１３２の光軸１３２ａと右中心軸１２４とが一致するように、左レンズ１３０および右レンズ１３２を保持する。
【００４５】
一方、図９（ｃ）、（ｄ）および（ｅ）に示すように、左レンズ１３０は、ユーザが立体画像用眼鏡１００を装着した場合のユーザの左眼球側に、左レンズ１３０の光軸１３０ａを含む水平面と直交する平面１３０ｂを有する。同様に、右レンズ１３２は、ユーザが立体画像用眼鏡１００を装着した場合のユーザの右眼球側に、光軸１３２ａを含む水平面と直交する平面１３２ｂを有する。
【００４６】
左レンズ１３０の視認対象画像１０２側の面１３０ｃは、平面１３０ｂと直交し、かつ水平面と直交する面を断面としたとき、どの断面においても、その断面の形状が、左眼球側に凹になるように形成される。同様に、右レンズ１３２の視認対象画像１０２側の面１３２ｃは、平面１３２ｂと直交し、かつ水平面と直交する面を断面としたとき、どの断面においても、その断面形状が、右眼球側に凹になるように形成される。また、縮小レンズの場合、左レンズ１３０および右レンズ１３２の水平断面は、矩形形状となる。そして、支持機構１５０は、面１３０ｃと面１３２ｃとが、視認対象画像１０２の方向に向くように、左レンズ１３０および右レンズ１３２を支持する。また、支持機構１５０は、左レンズ１３０の光軸１３０ａと左中心軸１１４とが一致するように、右レンズ１３２の光軸１３２ａと右中心軸１２４とが一致するように、左レンズ１３０および右レンズ１３２を保持する。
【００４７】
図１に示すように、支持機構１５０は、左中心軸１１４上に左レンズ１３０の光軸１３０ａが位置するように、右中心軸１２４上に右レンズ１３２の光軸１３２ａが位置するように、左レンズ１３０および右レンズ１３２をそれぞれ支持する。
【００４８】
立体画像用眼鏡１００が左レンズ１３０および右レンズ１３２を備える構成により、視認対象画像１０２を水平方向に拡大したり（拡大レンズを用いた場合）、鉛直方向（垂直方向）に縮小したり（縮小レンズを用いた場合）して視認することができる。したがって、例えば、サイドバイサイド方式のようにアスペクト比が水平方向にのみ縮小されている画像に対し、そのアスペクト比を元の比に戻すことができるので、特別な画像処理を行わなくとも、ユーザは、左レンズ１３０および右レンズ１３２を通じて、サイドバイサイド方式の画像を元のアスペクト比で知覚することができる。
【００４９】
また、左レンズ１３０および右レンズ１３２を着脱可能な支持機構１５０を備える構成により、例えばサイドバイサイド方式のようにアスペクト比が水平方向にのみ縮小されている画像を視認するときだけ、左レンズ１３０および右レンズ１３２を装着し、アスペクト比が変更されていない画像を視認する場合には、左レンズ１３０および右レンズ１３２を取り外すことができる。したがって、ユーザは、立体画像用眼鏡１００を装着すれば、画像のアスペクト比が変更されているか否かにかかわらず様々な画像を通じて立体画像を知覚することができる。
【００５０】
また、上述した図９に示す例では、左レンズ１３０および右レンズ１３２は、レンズの光軸（１３０ａまたは１３２ａ）を含む水平面と直交する平面（１３０ｂまたは１３２ｂ）を有しているが、これに限定されず、例えば、レンズが拡大レンズである場合、眼球側の面も視認対象画像１０２側の面も両方とも凸面としたり、レンズが縮小レンズである場合、眼球側の面も視認対象画像１０２側の面も両方とも凹面としてもよい。かかる構成により、レンズの曲率半径を大きくすることができる。
【００５１】
また、本実施形態において、立体画像用眼鏡１００は、左対物プリズム１１２および右対物プリズム１２２の視認対象画像１０２側に支持機構１５０を設けているが、これに限定されず、左眼球プリズム１１０および右眼球プリズム１２０の眼球側に支持機構１５０を設けてもよい。また、視認対象画像１０２側と、左眼球プリズム１１０および右眼球プリズム１２０の眼球側の双方に、支持機構１５０を設けてもよい。
【００５２】
（回転機構２００）
回転機構２００は、外力に応じて、左中心軸１１４を回転軸として左眼球プリズム１１０を回転させるとともに、左眼球プリズム１１０と同回転角度で逆方向に左対物プリズム１１２を回転させ、さらに、左眼球プリズム１１０と同回転角度で同方向、または、同回転角度で逆方向に、右中心軸１２４を回転軸として右眼球プリズム１２０を回転させるとともに、右眼球プリズム１２０と同回転角度で逆方向に右対物プリズム１２２を回転させる。
【００５３】
図１０〜図１３は、第１の実施形態にかかる回転機構２００の一例を説明するための説明図である。特に、図１０および図１２は、回転機構２００全体の斜視図を、図１１（ａ）、図１３（ａ）は、立体画像用眼鏡１００を装着した状態で、眼球側から回転機構２００を見た（以下、単に背面視と称する）図を、図１１（ｂ）、図１３（ｂ）は、視認対象画像１０２側から回転機構２００を見た（以下、単に正面視と称する）図をそれぞれ示す。なお、図１２では、理解を容易にするために、ベースフレーム２０２、テンプルフレーム２０４や回転機構２００を支持する支持機構の図示を省略している。
【００５４】
図１０に示すように、回転機構２００は、ベースフレーム２０２と、左プリズム保持枠２１０（図１０〜図１２中、２１０ａ、２１０ｂで示す）と、右プリズム保持枠２２０（図１０〜図１２中、２２０ａ、２２０ｂで示す）と、回転部２３０（図１０〜図１３中、２３０ａ、２３０ｂで示す）と、連結部２３２と、調整ノブ２３４とを含んで構成される。
【００５５】
ベースフレーム２０２は、左プリズム保持枠２１０および右プリズム保持枠２２０を回転可能に保持する。ユーザは、テンプルフレーム２０４を自身の耳に引っ掛ける（掛止する）ことで立体画像用眼鏡１００を装着する。なお、ベースフレーム２０２と、テンプルフレーム２０４は、一体的に形成されてもよい。
【００５６】
左プリズム保持枠２１０ａは左眼球プリズム１１０を、左プリズム保持枠２１０ｂは左対物プリズム１１２を、それぞれ嵌合して保持する。同様に、右プリズム保持枠２２０ａは右眼球プリズム１２０を、右プリズム保持枠２２０ｂは右対物プリズム１２２を、それぞれ嵌合して保持する。
【００５７】
ここで、左プリズム保持枠２１０は、左眼球平面１１０ａと左対物平面１１２ａとが対向するように、左眼球プリズム１１０と左対物プリズム１１２とを保持し、また、右プリズム保持枠２２０は、右眼球平面１２０ａと右対物平面１２２ａとが対向するように右眼球プリズム１２０と右対物プリズム１２２とを保持する。
【００５８】
上述したように、左眼球プリズム１１０および左対物プリズム１１２、または右眼球プリズム１２０および右対物プリズム１２２で、水平面内でのみ光軸を回動させるために、左眼球プリズム１１０の中心軸および左対物プリズム１１２の中心軸を同軸（左中心軸１１４）に、右眼球プリズム１２０の中心軸および右対物プリズム１２２の中心軸を同軸（右中心軸１２４）にして、ベースフレーム２０２に取り付けている。
【００５９】
図２から図４を参照して理解できるように、プリズムには、中心軸方向の厚みが厚い部分と、薄い部分が存在する。ここで、左眼球斜平面１１０ｂと左対物斜平面１１２ｂとを対向するように配し、右眼球斜平面１２０ｂと右対物斜平面１２２ｂとを対向するように配すると、プリズムの厚みが厚い部分と薄い部分の差分だけ、２つのプリズム同士を近づけることができない。
【００６０】
そこで、図１に示すように、左プリズム保持枠２１０が、左眼球平面１１０ａと左対物平面１１２ａとがベースフレーム２０２を介して対向するように、左眼球プリズム１１０と左対物プリズム１１２とを保持し、右プリズム保持枠２２０が、右眼球平面１２０ａと右対物平面１２２ａとがベースフレーム２０２を介して対向するように、右眼球プリズム１２０と右対物プリズム１２２とを保持するように構成することで、左眼球プリズム１１０と左対物プリズム１１２との幅が最小となるように両者を近づけることができ、右眼球プリズム１２０と右対物プリズム１２２との幅が最小となるように両者を近づけることができ、立体画像用眼鏡１００の左中心軸１１４方向および右中心軸１２４方向の厚みを低減することが可能となる。
【００６１】
図１０および図１１に示すように、回転機構２００は、左プリズム保持枠２１０および右プリズム保持枠２２０をウォームホイールとし、回転部２３０をウォームとしたウォームギア構造を採るように構成されるため、左プリズム保持枠２１０の外周および右プリズム保持枠２２０の外周には、回転部２３０の歯車と歯合（歯と溝を合わせた状態にすること）する歯が形成されている。
【００６２】
回転部２３０は、ねじ歯車（ウォーム）で構成され、左プリズム保持枠２１０の外周および右プリズム保持枠２２０の外周に形成された歯と歯合する。
【００６３】
また、図１０および図１１に示すように、本実施形態の回転機構２００は、左眼球プリズム１１０および左対物プリズム１１２を、同回転角度で逆方向に回転させ、右眼球プリズム１２０を左眼球プリズム１１０と同回転角度で逆方向に回転させ、右眼球プリズム１２０および右対物プリズム１２２を、同回転角度で逆方向に回転させる。そこで、回転機構２００は、左眼球プリズム１１０や右眼球プリズム１２０と、左対物プリズム１１２や左対物プリズム１２２との回転方向を逆方向に回転させるために、回転部２３０ａと回転部２３０ｂとを連結するための連結部２３２をさらに備える。
【００６４】
このように、左プリズム保持枠２１０および右プリズム保持枠２２０をウォームホイールとし、回転部２３０ａ、２３０ｂをウォームとするウォームギア構造で回転機構２００を構成することにより、連結部２３２を回転させる（外力を加える）だけで、容易かつ確実に、所望する回転を得ることができる。
【００６５】
なお、本実施形態の回転機構２００は、左プリズム保持枠２１０ａ、２１０ｂ、右プリズム保持枠２２０ａ、２２０ｂ、回転部２３０ａ、２３０ｂ、および連結部２３２がお互いにそれぞれ歯合しているので、左プリズム保持枠２１０ａ、２１０ｂ、右プリズム保持枠２２０ａ、２２０ｂ、回転部２３０ａ、２３０ｂ、および連結部２３２の群のうち、いずれか１を回転させれば、他が全て回転することになる。ただし、ウォームギア構造の不可逆性作用を考えると、図１０および図１１（ａ）に示すように、回転部２３０ａ、２３０ｂのいずれかを回転させるのが望ましい。
【００６６】
また、図１０および図１１に示す例では、左プリズム保持枠２１０と右プリズム保持枠２２０の間に、回転部２３０を配した例について説明したが、これに限定されず、図１２および図１３に示すように、左プリズム保持枠２１０および右プリズム保持枠２２０の上または下に回転部２３０を配してもよい。かかる図１２および図１３の構成によっても図１０および図１１同様、所望する回転を得ることができる。
【００６７】
図１４は、第１の実施形態にかかる回転機構２００の他の例を説明するための説明図である。図１４は、回転機構２００を装着した状態で、左プリズム保持枠２１０および右プリズム保持枠２２０の上面視した図である。なお、図１４では、理解を容易にするために、左眼球プリズム１１０、左対物プリズム１１２、右眼球プリズム１２０、右対物プリズム１２２、左レンズ１３０、右レンズ１３２を省略する。
【００６８】
図１４に示すように、立体画像用眼鏡１００は、左プリズム保持枠２１０ａの外周端部から外周面に直交する方向に突出して形成されたフランジである左フランジ部２１２ａと、左プリズム保持枠２１０ｂの外周端部から外周面に直交する方向に突出して形成されたフランジである左フランジ部２１２ｂと、右プリズム保持枠２２０ａの外周端部から外周面に直交する方向に突出して形成されたフランジである右フランジ部２２２ａと、右プリズム保持枠２２０ｂの外周端部から外周面に直交する方向に突出して形成されたフランジである右フランジ部２２２ｂとを備える。そして、左フランジ部２１２ａ、２１２ｂおよび右フランジ部２２２ａ、２２２ｂの外周には、滑り止めを目的とした浅い切削加工であるローレット加工が施されている。
【００６９】
このように、左フランジ部２１２（図１４中、２１２ａ、２１２ｂで示す）および右フランジ部２２２（図１４中、２２２ａ、２２２ｂで示す）を備える構成により、ユーザは、左フランジ部２１２または右フランジ部２２２を回転させれば、４つのプリズムを同回転角度で回転させることができる。また、左フランジ部２１２および右フランジ部２２２の外周にローレット加工を施す構成により、ユーザが指で左フランジ部２１２または右フランジ部２２２を回転するときに、ユーザの指と左フランジ部２１２または右フランジ部２２２とを滑りにくくすることができ、ユーザの使い勝手を向上させることが可能となる。
【００７０】
（範囲指示部２５０）
図１５は、第１の実施形態にかかる範囲指示部を説明するための説明図である。本実施形態において、回転機構２００は、中心軸（左中心軸１１４または右中心軸１２４）回りの回転範囲を示す範囲指示部２５０をさらに備える。ここでは、左眼球プリズム１１０と右対物プリズム１２２とが背面視の場合における反時計回りに、左対物プリズム１１２と右眼球プリズム１２０とが背面視の場合における時計回りに回転するとする。
【００７１】
なお、図１５において、調整角θＬは、左眼球最大点１１６ａと、左眼球平面１１０ａと左中心軸１１４との交点とを通る直線１４０ａ（図１５中、破線で示す）と、左対物最大点１１８ａと、左対物平面１１２ａと左中心軸１１４との交点とを通る直線１４０ｂ（図１５中、一点鎖線で示す）とが為す角である。また、調整角θＲは、右眼球最大点１２６ａと、右眼球平面１２０ａと右中心軸との交点とを通る直線１４２ａ（図１５中、破線で示す）と、右対物最大点１２８ａと、右対物平面１２２ａと右中心軸１２４との交点とを通る直線１４２ｂ（図１５中、一点鎖線で示す）とが為す角である。範囲指示部は、調整角θＬまたは調整角θＲが、左中心軸１１４回りまたは右中心軸１２４回りに回転可能な回転角度の範囲における、第１の角度範囲、および、第１の角度範囲とは異なる第２の角度範囲のうちいずれに含まれるかを示す。
【００７２】
図１５（ａ）は、調整角θＬおよび調整角θＲが０度の場合を、図１５（ｂ）は、９０度の場合を、図１５（ｃ）は、１８０度の場合を、図１５（ｄ）は、２７０度の場合をそれぞれ示す。範囲指示部は、調整角θＬまたは調整角θＲのいずれか一方または両方が、０度以上１８０度未満であるか、１８０度以上３６０度（０度）未満であるかを示す。したがって、範囲指示部は、調整角θＬおよび調整角θＲが図１５（ａ）および図１５（ｂ）の場合は、１８０度未満であると、図１５（ｃ）および図１５（ｄ）の場合は、１８０度以上であることを示す。
【００７３】
図１６は、範囲指示部２５０の具体的な構成を説明するための説明図である。なお、図１６は、立体画像用眼鏡１００を背面視した図を示す。図１６に示すように、本実施形態において範囲指示部２５０は、突出帯２５２と、指示部２５４とを含んで構成される。
【００７４】
突出帯２５２は、左プリズム保持枠２１０および右プリズム保持枠２２０のいずれか一方（本実施形態では、右プリズム保持枠２２０ａ）と連動して回転する。ここでは、突出帯２５２は、右中心軸１２４を回転中心として、右プリズム保持枠２２０ａと同回転角度、同方向に回転する。突出帯２５２の外周は、突出帯２５２の回転中心から第１の距離離れている第１の外周部分２５２ａ（図１６中、ハッチングで示す）と、突出帯２５２の回転中心から、第１の距離よりも短い第２の距離離れている第２の外周部分２５２ｂを有する。
【００７５】
指示部２５４は、弾性部２５４ａと、当接部２５４ｂと、第１指標２５４ｃと、第２指標２５４ｄとを含んで構成され、指示部２５４自体の支点２５４ｅが、ベースフレーム２０２に回転自在に固定される。指示部２５４では、トーションバネ等で構成される弾性部２５４ａが、弾性力によって、当接部２５４ｂ、第１指標２５４ｃ、および第２指標２５４ｄに対して、支点２５４ｅを中心に図１６中右回り（時計回り）に力を加えている。その結果、当接部２５４ｂは、突出帯２５２の外周に当接（突き当てた状態に接すること）されている状態となる。また、当接部２５４ｂは、第１指標２５４ｃに連結されている。第１指標２５４ｃおよび第２指標２５４ｄは、支点２５４ｅを中心として回転することができるように設けられる。
【００７６】
そして、範囲指示部２５０は、調整角（ここでは、調整角θＲ）が第１の角度範囲および第２の角度範囲のうちの一方の角度範囲に含まれている場合に、当接部２５４ｂが、第１の外周部分２５２ａに当接されるとともに、第１指標２５４ｃが、第２指標２５４ｄよりも突出帯２５２の外周から離れた位置に位置するように設けられる。また、範囲指示部２５０は、調整角（ここでは、調整角θＲ）が他方の角度範囲に含まれている場合に、当接部２５４ｂが、第２の外周部分２５２ｂに当接されるとともに、第２指標２５４ｄが、第１指標２５４ｃよりも突出帯２５２の外周から離れた位置に位置するように設けられる。
【００７７】
例えば、図１６（ａ）に示すように、突出帯２５２の、第１の外周部分２５２ａに当接部２５４ｂが当接している場合、指示部２５４の第１指標２５４ｃは、第２指標２５４ｄよりも突出帯２５２の外周から離れた位置に位置することになる。そして、図１６（ｂ）に示すように、右プリズム保持枠２２０が回転すると、当接部２５４ｂは、突出帯２５２の第１の外周部分２５２ａから、突出帯２５２の、第２の外周部分２５２ｂに当接し始め、徐々に第１指標２５４ｃが没入し、第２指標２５４ｄが、突出帯２５２の外周から離隔する方向に突出し始める。さらに、右プリズム保持枠２２０が回転すると、図１６（ｃ）に示すように、当接部２５４ｂは、突出帯２５２の第２の外周部分２５２ｂに当接し、第２指標２５４ｄは、第１指標２５４ｃよりも突出帯２５２の外周から離れた位置に位置することになる。
【００７８】
このような突出帯２５２と、指示部２５４とで構成される範囲指示部２５０を備える構成により、調整角θＬおよび調整角θＲが０度以上１８０度未満（第１の角度範囲）の間であるか、１８０度以上３６０度未満（第２の角度範囲）の間であるかを指示部２５４の第１指標２５４ｃと、第２指標２５４ｄとに関連づけておけば、ユーザは、指示部２５４の第１指標２５４ｃや、第２指標２５４ｄを視認するだけで、左眼球プリズム１１０と左対物プリズム１１２の光軸と、右眼球プリズム１２０と右対物プリズム１２２の光軸の為す角がどの角度範囲にあるかを把握することができる。
【００７９】
例えば、調整角θＬおよび調整角θＲが０以上１８０度未満（第１の角度範囲）の場合、第１指標２５４ｃが突出し、１８０度以上３６０度未満（第２の角度範囲）の場合、第２指標２５４ｄが突出するように、範囲指示部２５０を構成する。
【００８０】
調整角θＬおよび調整角θＲが０度以上１８０度未満（第１の角度範囲）の場合、左光軸と右光軸は、相対角が６０度から徐々に小さくなり略平行となるため（図６に示す状態から図５に示す状態になる）、文字や図形等を付して、第１指標２５４ｃを交差法を示す指標にしておけば、ユーザは、第１指標２５４ｃを視認するだけで、立体画像用眼鏡１００が交差法に適した範囲であることを把握することができる。
【００８１】
また、調整角θＬおよび調整角θＲが１８０度以上３６０度未満（第２の角度範囲）の場合、左光軸と右光軸は、略平行から、相対角が−６０度となるため（図５に示す状態から図７に示す状態になる）、文字や図形等を付して、第２指標２５４ｄを平行法を示す指標にしておけば、ユーザは、第２指標２５４ｄを視認するだけで、立体画像用眼鏡１００が平行法に適した範囲であることを把握することができる。
【００８２】
また、立体画像用眼鏡１００から視認対象画像１０２までの距離によっては、調整角θＬおよび調整角θＲが０度以上１８０度未満の場合（相対角が正）の場合においても、平行法に適する状態になることがある、平行法を示す指標の角度範囲を交差法の角度範囲よりも大きく取ってもよい。
【００８３】
したがって、ユーザは、範囲指示部２５０を確認するだけで、立体画像用眼鏡１００が、交差法に適した状態であるか、平行法に適した状態であるかを即座に把握することができる。よって、ユーザは、範囲指示部２５０を確認しながら、左眼球プリズム１１０、右対物プリズム１２２、左対物プリズム１１２、および右眼球プリズム１２０を回転させることで、交差法に基づく視認対象画像１０２、および、平行法に基づく視認対象画像１０２のどちらに対しても、即座に対応させることができる。
【００８４】
以上、説明したように、本実施形態にかかる立体画像用眼鏡１００によれば、プリズムを左右で２枚ずつ利用することで、プリズムによる光軸の鉛直方向の回動を確実に排除し、視認対象画像１０２の位置や視認対象画像１０２に対するユーザの相対位置に応じて、光軸の水平面内の回動のみを容易かつ高精度に調整することができるので、ユーザは立体画像用眼鏡１００を装着するだけで、自身の視軸の水平面内の回動のみを調整することが可能となる。したがって、ユーザは、特別な訓練をせずとも、平行法および交差法のいずれの裸眼立体視によっても立体画像を知覚することができる。
【００８５】
なお、調整角θＬおよび調整角θＲが０以上１８０度未満の場合に第２指標２５４ｄが突出し、１８０度以上３６０度未満の場合に第１指標２５４ｃが突出するようにし、第１指標２５４ｃを平行法を示す指標、第２指標２５４ｄを交差法を示す指標にするような構成にしてもよい。なお、このようにするには、図１６で説明した状態から、突出帯２５２をプリズムに対して１８０度ずらして取り付け、第１指標２５４ｃおよび第２指標２５４ｂに記す文字や図形を入れ替えればよい。
【００８６】
（第２の実施形態：立体画像用眼鏡３００）
図１７は、第２の実施形態にかかる立体画像用眼鏡３００の外観を説明するための説明図である。図１７では、理解を容易にするために、左レンズ１３０、右レンズ１３２および支持機構１５０の図示を省略している。図１７に示すように、左眼球プリズム１１０と、左対物プリズム１１２と、右眼球プリズム１２０と、右対物プリズム１２２と、左レンズ１３０と、右レンズ１３２と、支持機構１５０と、回転機構４００とを含んで構成される。なお、上述した第１の実施形態の立体画像用眼鏡１００と実質的に等しい構成要素である、左眼球プリズム１１０、左対物プリズム１１２、右眼球プリズム１２０、右対物プリズム１２２、左レンズ１３０、右レン１３２、支持機構１５０については、同一の符号を付して説明を省略し、ここでは、第１の実施形態と構成の異なる回転機構４００について詳述する。
【００８７】
図１８は、第２の実施形態にかかる回転機構４００の一例を説明するための説明図である。図１８（ｂ）に示すように、回転機構４００は、ベースフレーム４０２と、テンプルフレーム２０４と、左レール部４０４（図１８中、４０４ａ、４０４ｂで示す）と、右レール部４０６（図１８中、４０６ａ、４０６ｂで示す）と、左プリズム保持枠４１０と、右プリズム保持枠４１２と、ベルト４３０とを含んで構成される。第１の実施形態における構成要素として既に述べた、テンプルフレーム２０４は、実質的に機能が等しいので重複説明を省略する。特に図１８（ａ）は、ベースフレーム４０２を説明するための説明図（図１８（ａ）の左側は、ベースフレーム４０２を前面側（視認対象側）から見た図を、右側はベースフレーム４０２を背面側から見た図をそれぞれ示す）を、図１８（ｂ）は、左レール部４０４と左プリズム保持枠４１０との関係、および、右レール部４０６と右プリズム保持枠４１２との関係を説明するための説明図を、図１８（ｃ）は、切り欠き部とベルトの関係を説明するための説明図を、図１８（ｄ）は、左プリズム保持枠４１０、４１２、ベルト４３０の関係を、図１８（ｅ）は、ベルトの部分断面図をそれぞれ示す。
【００８８】
図１８（ａ）に示すように、ベースフレーム４０２は、左プリズム保持枠４１０を嵌合するための左レール部４０４（図１８中、４０４ａ、４０４ｂで示す）と、右プリズム保持枠４１２を嵌合するための右レール部４０６（図１８中、４０６ａ、４０６ｂで示す）をそれぞれ固定する。
【００８９】
また、図１８（ａ）から（ｃ）に示すように、ベースフレーム４０２には、ベルト４３０が通過する切り欠き部４０８が設けられている。切り欠き部４０８の縁は、円柱形状の円柱部４０８となっている。
【００９０】
ベースフレーム４０２の切り欠き部４０８は、ベルト４３０と左プリズム保持枠４１０が外れてしまうのを防止し、ベルト４３０と右プリズム保持枠４１２とが外れてしまうのを防止するガイドの役割を担う。
【００９１】
また、図１８（ｃ）に示すように、切り欠き部４０８の縁が、円柱部４０８ａとなっている構成により、切り欠き部４０８のエッジの角を曲面とすることができ、切り欠き部４０８を跨いで左プリズム保持枠４１０および右プリズム保持枠４１２を張架（張力がかかった状態で掛け渡すこと）するベルト４３０が切り欠き部４０８のエッジと摺動することによる、ベルト４３０の損傷を低減することが可能となる。
【００９２】
左レール部４０４は、ユーザが立体画像用眼鏡３００を装着したときに、ユーザの左眼に対応する位置に位置するように、ベースフレーム４０２に固定される。また、左レール部４０４は、後述する左プリズム保持枠４１０の左案内溝４２０の外周部に接触する、略半円柱形状の突起部４１４を複数有する。同様に、右レール部４０６は、ユーザが立体画像用眼鏡３００を装着したときに、ユーザの右眼に対応する位置に位置するように、ベースフレーム４０２に固定される。また、右レール部４０６は、後述する右プリズム保持枠４１２の右案内溝４２２の外周部に接触する、略半円柱形状の突起部４１６を複数有する。ここで、突起部４１４は、その長手方向が左中心軸と略平行になるように、左レール部４０４に設けられ、突起部４１６は、その長手方向が右中心軸と略平行になるように、右レール部４０６に設けられる。
【００９３】
突起部４１４、４１６は、立体画像用眼鏡３００を装着したときの鉛直断面形状が、半円形状である、半円柱状の所謂かまぼこ型である。
【００９４】
左プリズム保持枠４１０ａは、左眼球プリズム１１０を嵌合して（嵌め合わせて）保持し、左プリズム保持枠４１０ｂは、左対物プリズム１１２を嵌合して保持する。また、図１８（ｂ）に示すように、左プリズム保持枠４１０は、外周に沿って設けられた案内溝である左案内溝４２０を有する。そして、左案内溝４２０が突起部４１４に対して摺動しながら回転可能となるように、左案内溝４２０と突起部４１４とを嵌合することで、左プリズム保持枠４１０が左中心軸１１４回りに回転可能となる。
【００９５】
同様に、右プリズム保持枠４１２ａは、右眼球プリズム１２０、右プリズム保持枠４１２ｂは、右対物プリズム１２２を嵌合して保持する。また、右プリズム保持枠４１２は、外周に沿って設けられた案内溝である右案内溝４２２を有する。そして、右案内溝４２２が突起部４１６に対して摺動しながら回転可能となるように、右案内溝４２２と突起部４１６とを嵌合することで、右プリズム保持枠４１２が右中心軸１２４回りに回転可能となる。
【００９６】
また、図１８（ｂ）および（ｃ）に示すように、左プリズム保持枠４１０の外周および右プリズム保持枠４１２の外周には、ベルト４３０と歯合する歯が形成されている。そして、図１８（ｃ）に示すように、ベルト４３０は、左プリズム保持枠４１０ａの外周、右プリズム保持枠４１２ｂの外周、左プリズム保持枠４１０ｂの外周、右プリズム保持枠４１２ａの外周の順に張架する。
【００９７】
左レール部４０４に対して左プリズム保持枠４１０を、または右レール部４０６に対して右プリズム保持枠４１２を回転させる場合、左レール部４０４および右レール部４０６に、左レール部４０４および右レール部４０６の円周方向に沿った突起を設ければ、回転に伴う、左案内溝４２０と突起、および、右案内溝４２２と突起との摩擦を低減することができる。しかし、このような、円周方向に平行な突起を左レール部４０４および右レール部４０６に形成する場合、組金型が必要となってしまい、突起の精度を出しにくく、コスト高となってしまう。
【００９８】
そこで、上述したようなかまぼこ型の突起部４１４、４１６を形成する構成により、レールとしての機能を維持し、左案内溝４２０と突起部４１４、および、右案内溝４２２と突起部４１６との摩擦を低減することができ、かつ、安価な金型で容易に形成することが可能となる。
【００９９】
図１９は、第２の実施形態にかかる左プリズム保持枠４１０と左レール部４０４との関係および右プリズム保持枠４１２と右レール部４０６との関係を説明するための説明図である。特に、図１９は、図１７に示す、立体画像用眼鏡３００の姿勢が、立体画像用眼鏡３００をユーザの眼の位置に装着し、左中心軸１１４と右中心軸１２４とが水平面で平行になるような姿勢である場合のベースフレーム４０２、左プリズム保持枠４１０、左レール部４０４、右プリズム保持枠４１２、右レール部４０６の一部水平断面図である。図１９（ａ）に示すように、左レール部４０４は、自体の高さｈＬが左案内溝４２０の深さｄＬより高く形成され、図１９（ｂ）に示すように、右レール部４０６は、自体の高さｈＲが右案内溝４２２の深さｄＲより高く形成される。
【０１００】
かかる構成により、左レール部４０４（または右レール部４０６）の頂部（左レール部４０４の天面）と、左案内溝４２０（または右案内溝４２２）の底部（左案内溝４２０の底面）を当接させることができるので、レールの高さ方向に左プリズム保持枠４１０が揺動（揺れ動くこと）するのを回避することができる。また、左レール部４０４（または右レール部４０６）の高さが、左案内溝４２０（または右案内溝４２２）の深さよりも高いため、左プリズム保持枠４１０とベースフレーム４０２とが当接することがなくなり、左プリズム保持枠４１０をスムーズに回転させることが可能となる。さらに、左案内溝４２０の深さ方向に空隙ができないため、突起部４１４（または突起部４１６）が左案内溝４２０の外周に対して摺動することで発生するゴミや、埃の、左案内溝４２０（または右案内溝４２２）の底部への進入を防止することが可能となる。
【０１０１】
図２０は、第２の実施形態にかかる、他の左プリズム保持枠４１０、左レール部４０４、右プリズム保持枠４１２、右レール部４０６、ベースフレーム４０２を説明するための説明図である。特に図２０は、図１７に示す、立体画像用眼鏡３００の姿勢が、立体画像用眼鏡３００をユーザの眼の位置に装着し、左中心軸１１４と右中心軸１２４とが水平面で平行になるような姿勢である場合のベースフレーム４０２、左プリズム保持枠４１０、左レール部４０４、右プリズム保持枠４１２、右レール部４０６の一部水平断面図である。
【０１０２】
図２０（ａ）に示すように、左プリズム保持枠４１０の内周端部であって、左中心軸１１４方向のベースフレーム４０２側は、ベースフレーム４０２と左レール部４０４の境界よりもベースフレーム４０２側に、ベースフレーム４０２の厚みＢＤの半分だけ延長されている。また、図２０（ｂ）に示すように、右プリズム保持枠４１２の内周端部であって、右中心軸１２４方向のベースフレーム４０２側は、ベースフレーム４０２と右レール部４０６の境界よりもベースフレーム４０２側にベースフレーム４０２の厚みＢＤの半分だけ延長されている。
【０１０３】
かかる構成により、左プリズム保持枠４１０ａと左プリズム保持枠４１０ｂとを近づけ、右プリズム保持枠４１２ａと、右プリズム保持枠４１２ｂとを近づけることができ、立体画像用眼鏡３００の左中心軸１１４方向または右中心軸１２４方向の厚みを低減することができる。
【０１０４】
ところで、図１８（ｅ）に示すように、ベルト４３０の内周には、左プリズム保持枠４１０の外周に形成された歯および右プリズム保持枠４１２の外周に形成された歯と歯合するための溝が形成されている。
【０１０５】
このように、ベルト４３０をラックとし、左プリズム保持枠４１０および右プリズム保持枠４１２をピニオンとするピニオンラック構造で回転機構４００を構成することにより、１のベルト４３０で、４つの保持枠（左プリズム保持枠４１０ａ、４１０ｂおよび右プリズム保持枠４１２ａ、４１２ｂ）を連動させることができ、４つの保持枠のうちのいずれかを回転させるだけで、容易かつ確実に、左眼球プリズム１１０および左対物プリズム１１２を、同回転角度で逆方向に回転させ、右眼球プリズム１２０を左眼球プリズム１１０と同回転角度で逆方向に回転させ、右眼球プリズム１２０および右対物プリズム１２２を、同回転角度で逆方向に回転させることができる。
【０１０６】
本実施形態にかかる立体画像用眼鏡３００によっても、プリズムを左右で２枚ずつ利用することで、プリズムによる光軸の鉛直方向の回動を確実に排除し、視認対象画像１０２の位置や視認対象画像１０２に対するユーザの相対位置に応じて、光軸の水平面内の回動のみを容易かつ高精度に調整することができるので、ユーザは立体画像用眼鏡３００を装着するだけで、視軸の水平面内の回動のみを調整することが可能となる。したがって、ユーザは、特別な訓練をせずとも、平行法および交差法のいずれの裸眼立体視によっても立体画像を知覚することができる。
【０１０７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【産業上の利用可能性】
【０１０８】
本発明は、立体画像を知覚させることが可能な立体画像用眼鏡に利用することができる。
【符号の説明】
【０１０９】
１００、３００  …立体画像用眼鏡
１０２  …視認対象画像
１１０  …左眼球プリズム
１１２  …左対物プリズム
１１４  …左中心軸
１２０  …右眼球プリズム
１２２  …右対物プリズム
１２４  …右中心軸
１３０  …左レンズ
１３２  …右レンズ
１５０  …支持機構
２００、４００  …回転機構
２０２、４０２  …ベースフレーム
２１０、４１０  …左プリズム保持枠
２１２  …左フランジ部
２２０、４１２  …右プリズム保持枠
２２２  …右フランジ部
２３０  …回転部
２３２  …連結部
２３４  …調整ノブ
２５０  …範囲指示部
２５２  …突出帯
２５４  …指示部
２５４ａ  …弾性部
２５４ｂ  …当接部
２５４ｃ  …第１指標
２５４ｄ  …第２指標
４０４  …左レール部
４０６  …右レール部
４０８  …切り欠き部
４１４、４１６  …突起部
４２０  …左案内溝
４２２  …右案内溝
４３０  …ベルト
【図１】
2012032616.tif 000003
【図２】
2012032616.tif 000004
【図３】
2012032616.tif 000005
【図４】
2012032616.tif 000006
【図５】
2012032616.tif 000007
【図６】
2012032616.tif 000008
【図７】
2012032616.tif 000009
【図８】
2012032616.tif 000010
【図９】
2012032616.tif 000011
【図１０】
2012032616.tif 000012
【図１１】
2012032616.tif 000013
【図１２】
2012032616.tif 000014
【図１３】
2012032616.tif 000015
【図１４】
2012032616.tif 000016
【図１５】
2012032616.tif 000017
【図１６】
2012032616.tif 000018
【図１７】
2012032616.tif 000019
【図１８】
2012032616.tif 000020
【図１９】
2012032616.tif 000021
【図２０】
2012032616.tif 000022